(57)【要約】【課題】  伝送効率の低下を抑制しながら、受信装置が誤り訂正符号ブロックを適切に抽出することを可能とする送信装置、受信装置、デジタル放送システム及びチップを提供する。【解決手段】  送信装置１０は、固定長を有する誤り訂正符号ブロックを生成する誤り訂正符号化部１１と、誤り訂正符号ブロックによって構成されるデータフレームを生成するフレーム化部１２と、データフレーム及び伝送制御信号を含む伝送フレームを送信するＭＩＭＯ−ＯＦＤＭ変調部１４とを備える。ＭＩＭＯ−ＯＦＤＭ変調部１４は、データフレームとともに、データフレームの先頭位置に対するデータフレームの先頭に含まれる誤り訂正符号ブロックの先頭位置のオフセットを示すポインタを送信する。【選択図】図１
2015065627.tif 000002
【特許請求の範囲】
【請求項１】
固定長を有する誤り訂正符号ブロックを生成するブロック生成部と、
前記誤り訂正符号ブロックによって構成されるデータフレームを生成するフレーム生成部と、
前記データフレーム及び伝送制御信号を含む伝送フレームを送信する送信部とを備え、
前記送信部は、前記データフレームとともに、前記データフレームの先頭位置に対する前記データフレームの先頭に含まれる誤り訂正符号ブロックの先頭位置のオフセットを示すポインタを送信することを特徴とする送信装置。
【請求項２】
前記ポインタは、前記伝送制御信号に含まれることを特徴とする請求項１に記載の送信装置。
【請求項３】
前記ポインタは、前記データフレームのヘッダに含まれることを特徴とする請求項１に記載の送信装置。
【請求項４】
前記ポインタの変調方式は、ＢＰＳＫであることを特徴とする請求項１に記載の送信装置。
【請求項５】
固定長を有する誤り訂正符号ブロックによって構成されるデータフレーム及び伝送制御信号を含む伝送フレームを受信する受信部と、
前記データフレームから前記誤り訂正符号ブロックを抽出する抽出部とを備え、
前記受信部は、前記データフレームとともに、前記データフレームの先頭位置に対する前記データフレームの先頭に含まれる誤り訂正符号ブロックの先頭位置のオフセットを示すポインタを受信し、
前記抽出部は、前記ポインタに基づいて、前記データフレームの先頭に含まれる誤り訂正符号ブロックを抽出することを特徴とする受信装置。
【請求項６】
前記ポインタは、前記伝送制御信号に含まれることを特徴とする請求項５に記載の受信装置。
【請求項７】
前記ポインタは、前記データフレームのヘッダに含まれることを特徴とする請求項５に記載の受信装置。
【請求項８】
前記ポインタの変調方式は、ＢＰＳＫであることを特徴とする請求項５に記載の受信装置。
【請求項９】
受信装置に搭載されるチップであって、
固定長を有する誤り訂正符号ブロックによって構成されるデータフレーム及び伝送制御信号を含む伝送フレームを受信する受信部と、
前記データフレームから前記誤り訂正符号ブロックを抽出する抽出部とを備え、
前記受信部は、前記データフレームとともに、前記データフレームの先頭位置に対する前記データフレームの先頭に含まれる誤り訂正符号ブロックの先頭位置のオフセットを示すポインタを受信し、
前記抽出部は、前記ポインタに基づいて、前記データフレームの先頭に含まれる誤り訂正符号ブロックを抽出することを特徴とするチップ。
【請求項１０】
送信装置及び受信装置を備えるデジタル放送システムであって、
前記送信装置は、固定長を有する誤り訂正符号ブロックを生成するブロック生成部と、前記誤り訂正符号ブロックによって構成されるデータフレームを生成するフレーム生成部と、前記データフレーム及び伝送制御信号を含む伝送フレームを送信する送信部とを備え、
前記受信装置は、前記伝送フレームを受信する受信部と、前記データフレームから前記誤り訂正符号ブロックを抽出する抽出部を備え、
前記受信部は、前記データフレームとともに、前記データフレームの先頭位置に対する前記データフレームの先頭に含まれる誤り訂正符号ブロックの先頭位置のオフセットを示すポインタを受信し、
前記抽出部は、前記ポインタに基づいて、前記データフレームの先頭に含まれる誤り訂正符号ブロックを抽出することを特徴とするデジタル放送システム。
【発明の詳細な説明】
【技術分野】
【０００１】
本発明は、送信装置、受信装置、デジタル放送システム及びチップに関する。
【背景技術】
【０００２】
日本における地上デジタル放送方式であるＩＳＤＢ-Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  -  Ｔｅｒｒｅｓｔｒｉａｌ）方式では、送信装置は、データフレーム及び制御信号（ＴＭＣＣ情報やＡＣ信号）によって構成される伝送フレーム（ＯＦＤＭフレーム）毎に、映像・音声等のデータを送信する。制御信号は、伝送フレーム毎に伝送フレームに挿入される。また、受信装置は、伝送フレームの同期をとることによって、映像・音声等のデータを受信する（例えば、非特許文献１）。
【先行技術文献】
【非特許文献】
【０００３】
【非特許文献１】「地上デジタルテレビジョン放送の伝送方式  標準規格」  ＡＲＩＢ  ＳＴＤ−Ｂ３１
【発明の概要】
【発明が解決しようとする課題】
【０００４】
ところで、次世代地上放送方式では、誤り訂正符号がデータに付与された誤り訂正符号ブロック（以下、ＦＥＣブロック）をデータフレームに挿入することが検討されている。
【０００５】
このような場合において、受信装置がＦＥＣブロックを適切に抽出するために、伝送フレームの先頭に含まれるＦＥＣブロックの先頭位置が伝送フレームの先頭位置と一致している必要があり、ＦＥＣブロックが固定長であることが必要であるという拘束条件が存在する。
【０００６】
一方で、データフレームの容量は、データフレームを構成する信号の符号化率及び変調多値数によって可変であり、固定長のＦＥＣブロックの整数倍に調整することが難しい。従って、データフレーム内にＦＥＣブロックを挿入することができない場合には、データフレーム内の余りのスペースにＮｕｌｌ値を挿入する必要がある。
【０００７】
このように、上述した拘束条件の下では、Ｎｕｌｌ値を挿入せざるを得ないケースが存在するため、伝送効率が低下してしまう可能性がある。
【０００８】
そこで、本発明は、上述した課題を解決するためになされたものであり、伝送効率の低下を抑制しながら、受信装置が誤り訂正符号ブロックを適切に抽出することを可能とする送信装置、受信装置、デジタル放送システム及びチップを提供することを目的とする。
【課題を解決するための手段】
【０００９】
第１の特徴は、固定長を有する誤り訂正符号ブロックを生成するブロック生成部と、前記誤り訂正符号ブロックによって構成されるデータフレームを生成するフレーム生成部と、前記データフレーム及び伝送制御信号を含む伝送フレームを送信する送信部とを備える送信装置であって、前記送信部は、前記データフレームとともに、前記データフレームの先頭位置に対する前記データフレームの先頭に含まれる誤り訂正符号ブロックの先頭位置のオフセットを示すポインタを送信することを要旨とする。
【００１０】
第２の特徴は、固定長を有する誤り訂正符号ブロックによって構成されるデータフレーム及び伝送制御信号を含む伝送フレームを受信する受信部と、前記データフレームから前記誤り訂正符号ブロックを抽出する抽出部とを備える受信装置であって、前記受信部は、前記データフレームとともに、前記データフレームの先頭位置に対する前記データフレームの先頭に含まれる誤り訂正符号ブロックの先頭位置のオフセットを示すポインタを受信し、前記抽出部は、前記ポインタに基づいて、前記データフレームの先頭に含まれる誤り訂正符号ブロックを抽出することを要旨とする。
【００１１】
第３の特徴は、受信装置に搭載されるチップであって、固定長を有する誤り訂正符号ブロックによって構成されるデータフレーム及び伝送制御信号を含む伝送フレームを受信する受信部と、前記データフレームから前記誤り訂正符号ブロックを抽出する抽出部とを備え、前記受信部は、前記データフレームとともに、前記データフレームの先頭位置に対する前記データフレームの先頭に含まれる誤り訂正符号ブロックの先頭位置のオフセットを示すポインタを受信し、前記抽出部は、前記ポインタに基づいて、前記データフレームの先頭に含まれる誤り訂正符号ブロックを抽出することを要旨とする。
【００１２】
第４の特徴は、送信装置及び受信装置を備えるデジタル放送システムであって、前記送信装置は、固定長を有する誤り訂正符号ブロックを生成するブロック生成部と、前記誤り訂正符号ブロックによって構成されるデータフレームを生成するフレーム生成部と、前記データフレーム及び伝送制御信号を含む伝送フレームを送信する送信部とを備え、前記受信装置は、前記伝送フレームを受信する受信部と、前記データフレームから前記誤り訂正符号ブロックを抽出する抽出部を備え、前記受信部は、前記データフレームとともに、前記データフレームの先頭位置に対する前記データフレームの先頭に含まれる誤り訂正符号ブロックの先頭位置のオフセットを示すポインタを受信し、前記抽出部は、前記ポインタに基づいて、前記データフレームの先頭に含まれる誤り訂正符号ブロックを抽出することを要旨とする。
【発明の効果】
【００１３】
本発明によれば、伝送効率の低下を抑制しながら、受信装置が誤り訂正符号ブロックを適切に抽出することを可能とする送信装置、受信装置、デジタル放送システム及びチップを提供することができる。
【図面の簡単な説明】
【００１４】
【図１】図１は、第１実施形態に係る送信装置１０を示すブロック図である。
【図２】図２は、第１実施形態に係る受信装置２０を示すブロック図である。
【図３】図３は、第１実施形態に係るフレーム構造の一例を示す図である。
【図４】図４は、第１実施形態に係るフレーム構造の一例を示す図である。
【発明を実施するための形態】
【００１５】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１６】
したがって、具体的な寸法などは以下の説明を参酌して判断すべきものである。また、図面相互間においても互いの寸法の関係や比率が異なる部分が含まれていることは勿論である。
【００１７】
［実施形態の概要］
第１に、実施形態に係る送信装置は、固定長を有する誤り訂正符号ブロックを生成するブロック生成部と、前記誤り訂正符号ブロックによって構成されるデータフレームを生成するフレーム生成部と、前記データフレーム及び伝送制御信号を含む伝送フレームを送信する送信部とを備える。前記送信部は、前記データフレームとともに、前記データフレームの先頭位置に対する前記データフレームの先頭に含まれる誤り訂正符号ブロックの先頭位置のオフセットを示すポインタを送信する。
【００１８】
第２に、実施形態に係る受信装置は、固定長を有する誤り訂正符号ブロックによって構成されるデータフレーム及び伝送制御信号を含む伝送フレームを受信する受信部と、前記データフレームから前記誤り訂正符号ブロックを抽出する抽出部とを備える。前記受信部は、前記データフレームとともに、前記データフレームの先頭位置に対する前記データフレームの先頭に含まれる誤り訂正符号ブロックの先頭位置のオフセットを示すポインタを受信し、前記抽出部は、前記ポインタに基づいて、前記データフレームの先頭に含まれる誤り訂正符号ブロックを抽出する。
【００１９】
実施形態では、送信装置から受信装置に対して、データフレームの先頭位置に対するデータフレームの先頭に含まれる誤り訂正符号ブロックの先頭位置のオフセットを示すポインタが送信される。従って、伝送フレームの先頭に含まれる誤り訂正符号ブロックの先頭位置が伝送フレームの先頭位置と一致していなくても、受信装置が誤り訂正符号ブロックを抽出することができる。言い換えると、誤り訂正符号ブロックが複数の伝送フレーム（データフレーム）を跨がって配置されることが許容されるため、Ｎｕｌｌ値を挿入する必要がなく、伝送効率の低下が抑制される。
【００２０】
［第１実施形態］
（デジタル放送システム）
以下において、第１実施形態に係るデジタル放送システムについて説明する。図１は、第１実施形態に係る送信装置１０を示すブロック図であり、図２は、第１実施形態に係る受信装置２０を示すブロック図である。デジタル放送システムは、送信装置１０及び受信装置２０を備える。
【００２１】
実施形態において、デジタル放送システムは、次世代地上放送方式に対応するデジタル放送システムである。例えば、デジタル放送システムでは、（Ｍｕｌｔｉｐｌｅ  Ｉｎｐｕｔ  Ｍｕｌｔｉｐｌｅ  Ｏｕｔｐｕｔ）技術、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術が適用される。デジタル放送システムでは、送信装置１０から受信装置２０に対して、複数の階層に属する階層化データ（例えば、１セグメント、１３セグメント）が送信される。第１実施形態では、階層化データとして、Ａ階層データ、Ｂ階層データ、Ｃ階層データが送信されるケースについて例示する。
【００２２】
図１に示すように、送信装置１０は、誤り訂正符号化部１１と、フレーム化部１２と、制御信号生成部１３と、ＭＩＭＯ−ＯＦＤＭ変調部１４とを備える。送信装置１０は、例えば、放送局等に設けられる。
【００２３】
誤り訂正符号化部１１は、固定長を有する誤り訂正符号ブロックを生成するブロック生成部を構成する。具体的には、誤り訂正符号化部１１は、所定フォーマットを有するＴＳ（Ｔｒａｎｓｐｏｒｔ  Ｓｔｒｅａｍ）などの入力データに誤り訂正符号を付与する。
【００２４】
第１実施形態では、階層化データとして、Ａ階層データ、Ｂ階層データ、Ｃ階層データが送信される。従って、送信装置１０は、Ａ階層データの誤り訂正符号ブロックを生成する誤り訂正符号化部１１Ａと、Ｂ階層データの誤り訂正符号ブロックを生成する誤り訂正符号化部１１Ｂと、Ｃ階層データの誤り訂正符号ブロックを生成する誤り訂正符号化部１１Ｃとを備える。
【００２５】
フレーム化部１２は、誤り訂正符号ブロックによって構成されるデータフレームを生成するフレーム生成部を構成する。第１実施形態では、フレーム化部１２は、データフレームの先頭位置に対するデータフレームの先頭に含まれる誤り訂正符号ブロックの先頭位置のオフセットを示すポインタをデータフレームのヘッダに挿入する。オフセットは、データフレームの先頭位置からデータフレームの先頭に含まれる誤り訂正符号ブロックの先頭位置までのビット数を示す値である。
【００２６】
このように、上述したポインタがデータフレームのヘッダに挿入されるため、誤り訂正符号ブロックは、複数のデータフレーム（伝送フレーム）に跨がって配置されてもよい。すなわち、データフレーム（伝送フレーム）の先頭に含まれる誤り訂正符号ブロックの先頭位置がデータフレーム（伝送フレーム）の先頭位置と一致していなくてもよい。
【００２７】
第１実施形態では、階層化データとして、Ａ階層データ、Ｂ階層データ、Ｃ階層データが送信される。従って、送信装置１０は、Ａ階層データの誤り訂正符号ブロックを生成するフレーム化部１２Ａと、Ｂ階層データの誤り訂正符号ブロックを生成するフレーム化部１２Ｂと、Ｃ階層データの誤り訂正符号ブロックを生成するフレーム化部１２Ｃとを備える。
【００２８】
制御信号生成部１３は、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号、ＡＣ（Ａｕｘｉｌｉａｒｙ  Ｃｈａｎｎｅｌ）信号等の制御信号を生成する。例えば、ＴＭＣＣ信号（伝送制御信号）は、複数の階層のそれぞれの伝送パラメータ（変調方式、セグメント数、符号化率等）を示す信号、ＯＦＤＭフレーム（伝送フレーム）の同期をとるための同期信号を含む。
【００２９】
ＭＩＭＯ−ＯＦＤＭ変調部１４は、フレーム化部１２から出力されるデータフレーム及び制御信号生成部１３から出力される制御信号によって構成されるＯＦＤＭフレーム（伝送フレーム）を生成する。ＯＦＤＭフレーム（伝送フレーム）は、所定数のサブキャリア（周波数軸）及び所定数のシンボル数（時間軸）によって定義される。
【００３０】
続いて、ＭＩＭＯ−ＯＦＤＭ変調部１４は、ＯＦＤＭフレームを構成する各シンボルに対して、空間符号化処理を行って２系統の信号を生成して、２系統の信号に対してキャリア変調、ＩＦＦＴ処理及び直交変換を行って無線信号Ｔｘ１，Ｔｘ２を生成する。ＭＩＭＯ−ＯＦＤＭ変調部１４は、複数のアンテナを用いて、無線信号Ｔｘ１，Ｔｘを受信装置２０に送信する。なお、２系統の信号は、同一の信号であってもよいが、伝送効率の観点では、異なる信号であることが好ましい。
【００３１】
第１実施形態において、上述したポインタがデータフレームのヘッダに挿入される。言い換えると、ＭＩＭＯ−ＯＦＤＭ変調部１４は、データフレームとともに、上述したポインタを送信する送信部を構成する。
【００３２】
図２に示すように、受信装置２０は、周波数変換部２１と、直交復調部２２と、ＭＩＭＯ−ＯＦＤＭ復調部２３と、キャリア復調部２４と、制御信号復調部２５と、抽出部２６と、誤り訂正部２７とを備える。受信装置２０は、例えば、家庭内に固定的に設置される受像器、ユーザが持ち運び可能な移動端末に設けられる。
【００３３】
周波数変換部２１は、複数のアンテナを用いて、無線信号Ｒｘ１，Ｒｘ２を受信する。具体的には、周波数変換部２１は、周波数変換によって、無線信号Ｒｘ１，Ｒｘ２をベースバンド信号に変換してＡＤ変換などによってデジタル化する。
【００３４】
第１実施形態では、複数のアンテナによって無線信号Ｒｘ１，Ｒｘ２を受信するため、受信装置２０は、無線信号Ｒｘ１を処理する周波数変換部２１Ａと、無線信号Ｒｘ２を処理する周波数変換部２１Ｂとを備える。
【００３５】
直交復調部２２は、周波数変換部２１によって変換された周波数成分の直交復調を行う。
【００３６】
第１実施形態では、複数のアンテナによって無線信号Ｒｘ１，Ｒｘ２を受信するため、受信装置２０は、無線信号Ｒｘ１に対応する信号を処理する周波数変換部２１Ａと、無線信号Ｒｘ２に対応する信号を処理する周波数変換部２１Ｂとを備える。
【００３７】
ＭＩＭＯ−ＯＦＤＭ復調部２３は、周波数変換部２１Ａ及び周波数変換部２１Ｂから出力される２系統の信号に対してＦＦＴ処理およびＭＩＭＯ復号処理を行って、所定数のサブキャリア（周波数軸）及び所定数のシンボル数（時間軸）によって定義されるＯＦＤＭフレーム（伝送フレーム）を取得する。ＯＦＤＭフレーム（伝送フレーム）の同期は、上述したＴＭＣＣ信号によって行われる。
【００３８】
上述したように、ＯＦＤＭフレーム（伝送フレーム）は、データフレーム及び制御信号によって構成されており、データフレームのヘッダには、上述したポインタが含まれる。従って、第１実施形態においては、ＭＩＭＯ−ＯＦＤＭ復調部２３は、データフレームとともに、上述したポインタを受信する受信部を構成する。
【００３９】
キャリア復調部２４は、ＯＦＤＭフレーム（伝送フレーム）のうち、データフレームを構成するシンボルのキャリア復調を行う。
【００４０】
制御信号復調部２５は、ＯＦＤＭフレーム（伝送フレーム）に含まれる制御信号のうち、伝送制御信号（ＴＭＣＣ信号）を構成するシンボルのキャリア復調を行う。また、制御信号復調部２５は、ＯＦＤＭフレーム（伝送フレーム）に含まれる制御信号のうち、ＡＣ信号を構成するシンボルのキャリア復調を行う。
【００４１】
抽出部２６は、データフレームから誤り訂正符号ブロックを抽出する。具体的には、抽出部２６は、データフレームの先頭位置に対するデータフレームの先頭に含まれる誤り訂正符号ブロックの先頭位置のオフセットを示すポインタに基づいて、データフレームの先頭に含まれる誤り訂正符号ブロックを抽出する。また、誤り訂正符号ブロックが固定長であるため、抽出部２６は、データフレームの先頭に含まれる誤り訂正符号ブロックの先頭位置を特定することができれば、他の誤り訂正符号ブロックも抽出することができる。
【００４２】
第１実施形態では、階層化データとして、Ａ階層データ、Ｂ階層データ、Ｃ階層データが送信される。従って、受信装置２０は、Ａ階層データの誤り訂正符号ブロックを抽出する抽出部２６Ａと、Ｂ階層データの誤り訂正符号ブロックを抽出する抽出部２６Ｂと、Ｃ階層データの誤り訂正符号ブロックを抽出する抽出部２６Ｃとを備える。
【００４３】
誤り訂正部２７は、抽出部２６から出力される誤り訂正符号ブロックを構成するビット列の誤り訂正を行う。
【００４４】
第１実施形態では、階層化データとして、Ａ階層データ、Ｂ階層データ、Ｃ階層データが送信される。従って、受信装置２０は、Ａ階層データの誤り訂正符号ブロックを構成するビット列の誤り訂正を行う誤り訂正部２７Ａと、Ｂ階層データの誤り訂正符号ブロックを構成するビット列の誤り訂正を行う誤り訂正部２７Ｂと、Ｃ階層データの誤り訂正符号ブロックを構成するビット列の誤り訂正を行う誤り訂正部２７Ｃとを備える。
【００４５】
（フレーム構造）
以下において、第１実施形態に係るフレーム構造の一例について説明する。図３は、第１実施形態に係るフレーム構造の一例を示す図である。
【００４６】
図３に示すように、ＯＦＤＭフレーム（伝送フレーム）は、各階層のデータフレームを構成するシンボル及び制御信号（ＴＭＣＣ信号及びＡＣ信号）によって構成される。なお、ＯＦＤＭフレーム（伝送フレーム）は、上述したように、所定数のサブキャリア（周波数軸）及び所定数のシンボル数（時間軸）によって定義される。
【００４７】
各階層のデータフレームは、誤り訂正符号ブロック（ＦＥＣブロックとも呼ぶ）によって構成される。誤り訂正符号ブロックは、複数のデータフレームに跨がって配置されてもよい。誤り訂正符号ブロックは、固定長のビット列を有するが、誤り訂正符号ブロックのビット列長は、階層毎に異なっていてもよい。
【００４８】
データフレームのヘッダは、例えば、同期ビット（Ｓｙｎｃ）、ポインタ、リザーブビット、ＦＥＣパリティビットを含む。同期ビット（Ｓｙｎｃ）は、データフレームの先頭位置を特定するためのビットである。ポインタは、図４に示すように、データフレームの先頭位置に対するデータフレームの先頭に含まれる誤り訂正符号ブロックの先頭位置のオフセット（ビット数）を示す。リザーブビットは、将来の拡張のために確保されたビット列である。ＦＥＣパリティビットは、データフレームのヘッダの誤り訂正を行うためのビットである。
【００４９】
（作用及び効果）
第１実施形態では、送信装置１０から受信装置２０に対して、データフレームの先頭位置に対するデータフレームの先頭に含まれる誤り訂正符号ブロックの先頭位置のオフセットを示すポインタが送信される。従って、伝送フレームの先頭に含まれる誤り訂正符号ブロックの先頭位置が伝送フレームの先頭位置と一致していなくても、受信装置２０が誤り訂正符号ブロックを抽出することができる。言い換えると、誤り訂正符号ブロックが複数の伝送フレーム（データフレーム）を跨がって配置されることが許容されるため、Ｎｕｌｌ値を挿入する必要がなく、伝送効率の低下が抑制される。
【００５０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００５１】
実施形態では、データフレームの先頭位置に対するデータフレームの先頭に含まれる誤り訂正符号ブロックの先頭位置のオフセットを示すポインタは、データフレームのヘッダに含まれる。しかしながら、実施形態は、これに限定されるものではない。上述したヘッダは、データフレームのヘッダではなくて、伝送制御信号（ＴＭＣＣ）に含まれてもよい。
【００５２】
実施形態では特に触れていないが、上述したポインタは、誤り訂正符号ブロックを抽出する上で重要なビット列であるため、ＢＰＳＫで送信されることが好ましい。すなわち、上述したポインタには、誤り訂正符号ブロックに適用されるキャリア変調よりも低次のキャリア変調が適用されることが好ましい。
【００５３】
実施形態では、階層化データが送信されるケースを例示したが、実施形態は、これに限定されるものではない。送信装置１０から受信装置２０に送信されるデータは、階層化されていなくてもよい。
【００５４】
実施形態では、ＭＩＭＯ（Ｍｕｌｔｉｐｌｅ  Ｉｎｐｕｔ  Ｍｕｌｔｉｐｌｅ  Ｏｕｔｐｕｔ）技術が用いられるシステムについて例示した。しかしながら、実施形態は、これに限定されるものではない。実施形態は、ＭＩＳＯ（Ｍｕｌｔｉｐｌｅ  Ｉｎｐｕｔ  Ｓｉｎｇｌｅ  Ｏｕｔｐｕｔ）技術又はＳＩＳＯ（Ｓｉｎｇｌｅ  Ｉｎｐｕｔ  Ｓｉｎｇｌｅ  Ｏｕｔｐｕｔ）技術が用いられるシステムに適用されてもよい。
【００５５】
実施形態では特に触れていないが、送信装置１０及び受信装置２０が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００５６】
或いは、送信装置１０及び受信装置２０が行う各処理を実行するためのプログラムを記憶するメモリ及びメモリに記憶されたプログラムを実行するプロセッサによって構成されるチップが提供されてもよい。
【符号の説明】
【００５７】
１０…送信装置、１１…誤り訂正符号化部、１２…フレーム化部、１３…制御信号生成部、１４…ＭＩＭＯ−ＯＦＤＭ変調部、２０…受信装置、２１…周波数変換部、２２…直交復調部、２３…ＭＩＭＯ−ＯＦＤＭ復調部、２４…キャリア復調部、２５…制御信号復調部、２６…抽出部、２７…誤り訂正部
【図１】
2015065627.tif 000003
【図２】
2015065627.tif 000004
【図３】
2015065627.tif 000005
【図４】
2015065627.tif 000006